(57)【要約】【課題】  階段状展示台を構成する部材数が少なく、その組立も非常に簡単に行えるようにする。【解決手段】階段状載置台１は、上縁に階段状の段部３が形成された左右一対の側板２と、中央に横方向に伸びる折曲線４が形成され、前記各段部３に被せられる階段形成用板５とを有し、階段形成用板５は、前記折曲線４を挟んで、その上側が階段の水平部６となされ、下側が階段の垂直部７となされ、該垂直部７または前記水平部６のうち、例えば、垂直部７の両端７ａが前記左右の側板２の垂直部２ａ内面に固定され、水平部６の縁部６ａがその上段の階段形成用板５の垂直部７の縁部７ｂに連結されている。【選択図】  図１
2019136381.tif 000002
【特許請求の範囲】
【請求項１】
少なくとも上縁に階段状の段部が形成された左右一対の側板と、中央に横方向に伸びる折曲線が形成され、前記各段部に被せられる階段形成用板とを有し、階段形成用板は、前記折曲線を挟んで、その一方が階段の水平部となされ、同他方が階段の垂直部となされ、該垂直部または前記水平部のうちの一方の両端が前記左右の側板に固定され、同他方の縁部が上下に隣り合う階段形成用板の縁部に連結されている、階段状載置台。
【請求項２】
各階段形成用板の垂直部両端が両側板の段部の垂直部に固定され、各階段形成用板の水平部の縁部とその上段の階段形成用板の垂直部の縁部とが連結されている、請求項１記載の階段状載置台。
【請求項３】
最上段に看板が立設されている、請求項１または請求項２記載の階段状載置台。
【請求項４】
最上段の階段形成用板の水平部の縁部が看板に固定されている、請求項３記載の階段状載置台。
【請求項５】
最上段の階段形成用板の水平部の縁部両端が両側板の最上段の水平部内面に固定されている、請求項１または請求項２記載の階段状載置台。
【発明の詳細な説明】
【技術分野】
【０００１】
本発明は、店頭で商品等を陳列するための棚や、或いは雛壇や祭壇等としても使用することができる階段状載置台に関する。
【背景技術】
【０００２】
従来、以下のような展示台が知られている。すなわち、該展示台は、例えば、階段状に構成された雛壇において、該雛壇を構成する両側の側板を各段ごとに縦状に分割して成る複数の分割側板の連結により構成し、夫々の分割側板は縦方向の側端に形成された凸部と溝部とで互いに嵌合されると共に夫々の分割側板の下端が敷設部材の長溝に嵌合された連結側板を構成して成り、該連結側板を所定幅で平行に立設して両側の連結側板を所定長さの幅部材で連結したうえ、両側の連結側板の各段に棚板を掛け渡すと共に各段の前部に幕板を張り渡して夫々の連結側板と棚板と幕板との接合部をダボとダボ穴とで係合することにより、前記両側の連結側板を構成する各分割側板と各棚板と各幕板とを分解可能とした組立式雛壇が知られている。
【０００３】
また、この他、組立式の展示台であって、 左側面・前面・右側面を有し、コの字型に立設された基板と、 前面・台面・背面から成り下段を構成する下台板と、 同じく前面・台面・背面から成り上段を構成する上台板と、 下段を補強する下補強板と、上段を補強する上補強板と、 展示台を背後から補強する後ろ補強板とを具備し、前記下台板、前記上台板、前記下補強板、前記上補強板及び前記後ろ補強板は、前記基板を構成する前記左側面及び前記右側面に設置された複数のスリットに嵌設された展示台も知られている。
【先行技術文献】
【特許文献】
【０００４】
【特許文献１】特開２００１−３７６１９号公報
【特許文献２】実用新案登録第３１９０１５２号公報
【発明の概要】
【発明が解決しようとする課題】
【０００５】
前述した雛壇にあっては、複数の分割側板や連結側板、並びに複数の幅部材や棚板および膜板といった多数の構成部材が必要となり、またこれら構成部材同士を組み合わせて最終的に所定の雛壇を完成させるのに、かなりの手間と時間を要するという不都合があった。
【０００６】
また前述した展示台についても、左側面・前面・右側面を有し、コの字型に立設された基板と、 前面・台面・背面から成り下段を構成する下台板と、 同じく前面・台面・背面から成り上段を構成する上台板と、 下段を補強する下補強板と、上段を補強する上補強板と、 展示台を背後から補強する後ろ補強板という多数の構成部材が必要となり、またこれら多くの構成部材を順次組み立てる際の作業にも多くの手間と時間がかかるという問題があった。
【０００７】
本発明の目的は、構成部材が少なく、その組立も非常に簡単に行える階段状載置台を提供することにある。
【課題を解決するための手段】
【０００８】
請求項１記載の本発明は、少なくとも上縁に階段状の段部が形成された左右一対の側板と、中央に横方向に伸びる折曲線が形成され、前記各段部に被せられる階段形成用板とを有し、階段形成用板は、前記折曲線を挟んで、その一方が階段の水平部となされ、同他方が階段の垂直部となされ、該垂直部または前記水平部のうちの一方の両端が前記左右の側板に固定され、同他方の縁部が上下に隣り合う階段形成用板の縁部に連結されている階段状載置台である。
【０００９】
本発明に係る階段状載置台の構成材料は、特に限定されず、例えば、紙製段ボールやプラスチック製段ボール、或はハニカム構造等の中空板が挙げられる。また、プラスチック製段ボールの場合、基板や両側板等の各構成部材を線状に圧縮加熱して折曲線を形成することで屈曲可能としたり、或は所謂、半切り加工（ハーフカット）によって屈曲部分を設けることができる。
【００１０】
請求項２記載の本発明は、前記請求項１記載の階段状載置台について、各階段形成用板の垂直部両端が両側板の段部の垂直部に固定され、各階段形成用板の水平部の縁部とその上段の階段形成用板の垂直部の縁部とが連結されていることを特徴とする。
【００１１】
請求項３記載の本発明は、前記請求項１または請求項２記載の階段状載置台について、最上段に看板が立設されているものである。
【００１２】
請求項４記載の本発明は、前記請求項３記載の階段状載置台について、最上段の水平部の縁部が看板に固定されていることを特徴とするものである。
【００１３】
請求項５記載の本発明は、前記請求項１または請求項２記載の階段状載置台について、最上段の階段形成用板の水平部の縁部両端が両側板の最上段の水平部内面に固定されていることを特徴とする。
【発明の効果】
【００１４】
本発明に係る階段状載置台は、前述した通り、上縁に階段状の段部が形成された左右一対の側板と、中央に横方向に伸びる折曲線が形成され、前記各段部に被せられる階段形成用板とを有し、階段形成用板は、前記折曲線を挟んで、その一方が階段の水平部となされ、同他方が階段の垂直部となされ、該垂直部または前記水平部のうちの一方の両端が前記左右の側板に固定され、同他方の両縁が上下に隣り合う階段形成用板の縁部に連結されている。そのため、両側板の各階段状段部に固定されている階段形成用板を、固定されている階段の段部に被せて、上下に隣り合う階段形成用板の縁部同士を連結するだけで簡単且つ即座に階段状載置台が組み立てられる。
【００１５】
また、組み立てた前記階段状載置台をしまう場合も、前記とは逆の操作によって当該載置台の構成を簡単に解除して、全体を折り畳んだ形態に変形し得るため、収納保管や持ち運びも容易に行える等、種々の実用的利点を有する。
【００１６】
更に、最上段に看板を立設した本願発明に係る階段状載置台では、前記看板に当該載置台に載せる商品や人形、或いは位牌等といったものに対応して、商品名の文字や、雛壇、祭壇としての絵柄やフィルム印刷デザイン等といった種々の広告や装飾を施すことができる利点を有する。
【図面の簡単な説明】
【００１７】
【図１】本発明の実施形態に係る載置台の前側斜視図である。
【図２】同実施形態に係る載置台の背面図である。
【図３】同実施形態に係る載置台の組立前の状態を示す前側斜視図である。
【図４】同実施形態に係る載置台の組立前の状態を示す平面図である。
【図５】同実施形態に係る載置台の組立直前の状態を示す前側斜視図である。
【図６】本発明の他の実施形態に係る載置台の前側斜視図である。
【図７】同実施形態に係る載置台の背面図である。
【図８】同実施形態に係る載置台の組立前の状態を示す前側斜視図である。
【図９】同実施形態に係る載置台の組立前の状態を示す背面図である。
【図１０】実施形態に係る載置台の折り畳み状態を示す平面図である。
【発明を実施するための形態】
【００１８】
次に、本発明の実施形態を図面にしたがって説明するが、本発明はかかる実施形態に限定されるものではない。
【００１９】
図１〜図５に示すように、本実施形態に係る階段状載置台１は、全体がプラスチック段ボール製であって、少なくとも上縁に階段状の段部３が形成された左右一対の側板２と、中央に横方向に伸びる折曲線４が形成され、前記各段部３に被せられる階段形成用板５とを有し、階段形成用板５は、前記折曲線４を挟んで、その上側が階段の水平部６となされ、下側が階段の垂直部７となされ、該垂直部７または前記水平部６のうち、本実施形態では、垂直部７の両端７ａが前記左右の側板２の垂直部２ａ内面にリベットＲで固定され、水平部６の縁部６ａがその上段の階段形成用板５の垂直部７の縁部７ｂに連結されている。
【００２０】
より詳細には、前記側板２は、上縁が前述した通り、階段状の段部３となされ、その最上段の水平部後端１０ａから下方に伸びる垂直辺２Ａと、最下段の垂直部後端１０ｂから後方に伸びる水平辺２Ｂを有する形態となされている。
【００２１】
そして、図３および図４に示すように、本実施形態では、階段形成用板５の垂直部７の両端７ａが前述した通り、リベットＲで左右の側板２の垂直部２ａ内面に固定されており、階段形成用板５における垂直部７の縁部７ｂの両端寄り部分に左右一対の横長方形の係合孔１１が形成され、階段形成用板５における水平部６の縁部６ａの両端寄り部分に形成された左右一対の係合突起１２が前記係合孔１１と嵌め合わされることで、水平部６の縁部６ａがその上段の階段形成用板５の垂直部７の縁部７ｂに連結されている。また、最下段の階段形成用板５における垂直部７の縁部７ｂには前記係合孔１１は形成されていない。
【００２２】
この他、本実施形態では、当該載置台１の最上段において、略横長方形の看板１３が立設されている。
【００２３】
より詳細には、看板１３の下半部両端１３ａが、左右の側板２の最上段の水平部後端１０ａ内面にリベットＲで固定されることで、当該看板１３が立設されている。そして、看板１３の高さ中央部分には、最上段の階段形成用板５の水平部６の縁部６ａにおける係合突起１２と対応するように、上段係合孔１５が形成され、上段係合孔１５と前記最上段の階段形成用板５における水平部６の係合突起１２が嵌め合わされることで、看板１３に最上段の階段形成用板５の水平部６の縁部６ａが固定されている。
【００２４】
階段状載置台１における前記各水平部６が展示スペースとなされており、最上段に立設された看板１３に、商品名やサービス名等、用途に応じた文字や図柄等の表示を行うことができる。
【００２５】
次に、本実施形態に係る階段状載置台１の使用要領について説明すると、組立前においては、図３に示すように、各階段形成用板５はその垂直部７が両側板２に固定され、水平部６が上方に解放された状態となっており、この状態で斜め方向（矢印Ａ方向）から押圧することで、図１０に示すように、即座に折り畳まれた状態とすることができる。
【００２６】
図５に示すように、階段状載置台１を組み立てる場合には、各階段形成用板５における水平部６の縁部６ａの係合突起１２を上段の垂直部７における縁部７ｂの係合孔１１に嵌め込むことで即座に階段が形成される。
【００２７】
本実施形態では、前述した通り、各階段形成用板５における垂直部７の両端を側板２内面に固定する構成としたが、水平部６を側板２内面に固定し、垂直部７の縁部７ａに前記係合突起１２を設けて、該係合突起１２を、下段の階段形成用板５における水平部６の縁部６ａに形成した係合孔１１に嵌め入れる構成としても良い。
【００２８】
この他、図６〜図９に示すように、階段状載置台２１は、前述した階段状載置台１における最上段の看板１３を省略したものであって、最上段の前記階段形成用板５の水平部６の縁部６ａに折曲線２４を介して横長方形の延長部２５を一体に延成して、その両端寄り部分に上段係合孔２２を設け、図７および図９に示すように、側板２の水平部後端１０ａの内面に鉤部材２６を軸支して、該鉤部材２６を前記上段係合孔２２に係合させるようにする場合もある。その他の構成は前述した実施形態と同様であり、同じ符号を付すことで説明を省略する。
【産業上の利用可能性】
【００２９】
本発明に係る階段状載置台は、前述した通り、構成部材数が少なく、そして簡単に組み立て、および折り畳みが可能であるため、幅広い利用が期待できる。
【符号の説明】
【００３０】
１・２１  階段状載置台
２  側板
３  側板の段部
４  折曲線
５  階段形成用板
６  階段形成用板の水平部
７  階段形成用板の垂直部
【図１】
2019136381.tif 000003
【図２】
2019136381.tif 000004
【図３】
2019136381.tif 000005
【図４】
2019136381.tif 000006
【図５】
2019136381.tif 000007
【図６】
2019136381.tif 000008
【図７】
2019136381.tif 000009
【図８】
2019136381.tif 000010
【図９】
2019136381.tif 000011
【図１０】
2019136381.tif 000012